(57)【要約】【課題】手軽にドアをロック及びアンロックできるとともに、所定位置以上のドアの開放を規制することができるドアガードを提供する。【解決手段】ドアガード１は、案内部１３を有するアーム部材１２と、案内部１３に係合された状態で案内部１３の長手方向にスライド可能なフックボルト２２と、フックボルト２２を支持する、フックベース２４と、を備え、アーム部材１２は、案内部１３の長手方向の係止位置（嵌合凹部１３ｃ）において、フックボルト２２とフックベース２４の間に挟まれて固定される構造とした。【選択図】図１
2010196348.tif 000002
【特許請求の範囲】
【請求項１】
ドアの開放を規制するドアガードであって、
前記ドアガードは、
案内部を有するアーム部材と、
前記案内部に係合された状態で前記案内部の長手方向にスライド可能なフックボルトと、
前記フックボルトを支持する、フックベースと、
を備え、
前記アーム部材は、
前記案内部の長手方向の係止位置において、前記フックボルトと前記フックベースの間に挟まれて固定されることを特徴とする、ドアガード。
【請求項２】
前記フックボルトを前記アーム部材方向に付勢する付勢手段と、
前記フックボルトが前記アーム部材方向に付勢されるのを抑制する付勢抑制手段と、
前記付勢制限手段による付勢の抑制を解除する抑制解除手段と、
をさらに備え、
前記抑制解除手段の操作部は、前記フックボルトのスライド方向と垂直方向で、かつ前記ドアの内側方向に配設されていることを特徴とする、
請求項１に記載のドアガード。
【請求項３】
前記アーム部材は、前記案内部の長手方向に嵌合凹部が形成され、
前記フックボルトが前記フックベース方向に押し込まれて、前記嵌合凹部と嵌合することによって、該フックボルトは、前記案内部の長手方向へのスライドが制限されることを特徴とする、
請求項１又は２に記載のドアガード。
【請求項４】
前記アーム部材は、前記案内部の長手方向に滑り止め手段を備え、
前記フックボルトが前記アーム部材方向に押し込まれた場合、前記滑り止め手段によって、前記フックボルトが前記アーム部材に係止されることを特徴とする、
請求項１乃至３のいずれか１項に記載のドアガード。
【請求項５】
前記付勢抑制手段は、少なくとも、前記フックボルトが前記アーム部材方向に押し込まれて、該アーム部材を固定する固定位置と、前記アーム部材の前記案内部の長手方向にスライド可能にされるスライド可能位置と、の２か所で、前記フックボルトが付勢されるのを抑制することを特徴とする、
請求項４に記載のドアガード。
【請求項６】
前記フックベースに設けられ、前記アーム部材方向に回動及びスライドするキャッチを更に備え、
前記キャッチは、
少なくとも、前記フックベースと係合された状態で前記アーム部材方向にスライド可能にされるスライド部と、
前記アーム部材方向へのスライドを制限される固定部と、
を備えることを特徴とする、
請求項１乃至５のいずれか１項に記載のドアガード。
【発明の詳細な説明】
【技術分野】
【０００１】
本発明は、ドアの開放を規制するドアガードに関する。
【背景技術】
【０００２】
従来、ドアＤ側に回動可能なレバーを設け、ドアフレーム（ドア回り）側に受け具を設け、レバーを受け具（ロック位置）側に倒して、レバーに設けられた係合溝部と受け具を係合させることで、ドアが開扉した場合にレバーが所定の終端部に当接し、ドアのさらなる開放が阻止される発明が開示されている（例えば、特許文献１参照）。更に、特許文献１に開示されている発明は、受け具側に付勢された保持部を備え、ドアが閉扉された状態でレバーをアンロック位置側に回動されることを防止する発明である。
【先行技術文献】
【特許文献】
【０００３】
【特許文献１】特開２００５−９０８３号公報
【発明の概要】
【発明が解決しようとする課題】
【０００４】
しかしながら、前述した特許文献１に開示されている発明は、ドアをロックするためにはレバーを回動して受け具側に倒す必要（特に、特許文献１に開示されている発明は、保持部を解除するためのロック解除部を手前に引きながらレバーを倒さなければならない）があり、手間がかかるという問題があった。
【０００５】
また、特許文献１に開示されている発明では、ドアは所定の位置まで開いてしまうので、開いた隙間から室内を見られてしまうという問題があった。
【０００６】
本発明は、斯かる実情に鑑み、ドアキーとは別に、手軽にドアをロック及びアンロックできるとともに、所定位置以上のドアの開放を規制することができるドアガードを提供することを目的とする。
【課題を解決するための手段】
【０００７】
本発明者の鋭意研究によって、上記目的は下記の手段によって達成される。
【０００８】
（１）本発明は、ドアの開放を規制するドアガードであって、前記ドアガードは、案内部を有するアーム部材と、前記案内部に係合された状態で前記案内部の長手方向にスライド可能なフックボルトと、前記フックボルトを支持する、フックベースと、を備え、前記アーム部材は、前記案内部の長手方向の係止位置において、前記フックボルトと前記フックベースの間に挟まれて固定されることを特徴とする、ドアガードである。
【０００９】
（２）また、本発明は、前記フックボルトを前記アーム部材方向に付勢する付勢手段と、前記フックボルトが前記アーム部材方向に付勢されるのを抑制する付勢抑制手段と、前記付勢制限手段による付勢の抑制を解除する抑制解除手段と、をさらに備え、前記抑制解除手段の操作部は、前記フックボルトのスライド方向と垂直方向で、かつ前記ドアの内側方向に配設されていることを特徴とする、（１）に記載のドアガードである。
【００１０】
（３）また、本発明は、前記アーム部材は、前記案内部の長手方向に嵌合凹部が形成され、前記フックボルトが前記アーム部材方向に押し込まれて、前記嵌合凹部と嵌合することによって、該フックボルトは、前記案内部の長手方向へのスライドが制限されることを特徴とする、（１）又は（２）に記載のドアガードである。
【００１１】
（４）また、本発明は、前記アーム部材は、前記案内部の長手方向に滑り止め手段を備え、前記フックボルトが前記フックベース方向に押し込まれた場合、前記滑り止め手段によって、前記フックボルトが前記アーム部材に係止されることを特徴とする、（１）乃至（３）のいずれかに記載のドアガードである。
【００１２】
（５）また、本発明は、前記付勢抑制手段は、少なくとも、前記フックボルトが前記アーム部材方向に押し込まれて、該アーム部材を固定する固定位置と、前記アーム部材の前記案内部の長手方向にスライド可能にされるスライド可能位置と、の２か所で、前記フックボルトが付勢されるのを抑制することを特徴とする、（４）に記載のドアガードである。
【００１３】
（６）また、本発明は、前記フックベースに設けられ、前記アーム部材方向に回動及びスライドするキャッチを更に備え、前記キャッチは、少なくとも、前記フックベースと係合された状態で前記アーム部材方向にスライド可能にされるスライド部と、前記アーム部材方向へのスライドを制限される固定部と、を備えることを特徴とする、（１）乃至（５）のいずれかに記載のドアガードである。
【発明の効果】
【００１４】
本発明によれば、ドアの開扉を容易に規制することができるドアガードを提供できるという優れた効果を奏し得る。
【図面の簡単な説明】
【００１５】
【図１】第１実施形態に係るドアガード１の概略斜視図である。
【図２】（ａ）〜（ｄ）図１の矢視Ｉ−Ｉ方向から見たフック装置２０の断面図である。
【図３】（ａ）、（ｂ）同ドアガード１のドアガード機能を説明する概略斜視図である。
【図４】（ａ）〜（ｄ）同ドアガード１を模式的に表した平面図である。
【図５】（ａ）、（ｂ）同ドアガード１のサブロック機能を説明する概略斜視図である。
【図６】第２実施形態に係るドアガード２の概略斜視図である。
【図７】（ａ）、（ｂ）同ドアガード２の動作を説明するドアガード２の側面図である。
【図８】（ａ）、（ｂ）同ドアガード２の動作を説明するドアガード２の側面図である。
【発明を実施するための形態】
【００１６】
以下、本発明の実施の形態を添付図面を参照して説明する。
【００１７】
図１を用いて、本発明の第１実施形態について説明する。同図は、第１実施形態に係るドアガード１の斜視図である。
【００１８】
ドアガード１は、ドア１００に設けられたアーム装置１０と、ドアフレーム２００に設けられたフック装置２０と、を含んで構成されている。
【００１９】
アーム装置１０は、アーム部材１２と、アームベース１６と、を含んで構成されている。アーム部材１２は、アームベース１６に軸支され、ドア１００の開閉方向（同図の矢印Ａ又はＢ方向）に回動可能に設けられている。
【００２０】
アーム部材１２は、鉄等の金属製又はアルミニウム合金等の非鉄金属製でできており、概略Ｕ字形状の部材である。このアーム部材１２のＵ字形状の内側には、案内部１３が形成されている。また、アーム部材１２のＵ字形状の開口端部側には一対の係合片１４、１４（第１係止片１４Ａ及び第２係止片１４Ｂ）が形成されている。この一対の係合片１４、１４の間隔は、少なくとも係合片１４を形成している部材の板厚よりも広くなっていることが好ましい。なお、本実施形態では、係合片１４はＵ字形状の開口端部側に２つ設ける構造としたが、後で説明するフック装置２０（若しくはドアフレーム２００）の一部と係合し、所定の力によるドア１００の開扉を阻止できるものであれば、これに限定されるものではない。例えば、Ｕ字形状のアーム部材１２の開口端部側に複数の係合片を設けても好ましく、また、少なくとも係合片１４の板厚よりも幅が広い１つの係合片を設けるようにしても好ましい。
【００２１】
案内部１３は、開口端部側に開口部１３ａが形成され、さらに開口部１３ａと連続して、開口部１３ａよりも溝幅が狭い誘導溝１３ｂがアーム部材１２の先端近傍まで延在するように形成されている。また、誘導溝１３ｂの先端近傍には嵌合凹部１３ｃが設けられている。詳細は後で説明するが、フックボルト２２は、アーム部材１２と係合した状態で、誘導溝１３ｂに案内されるとともに、誘導溝１３ｂの先端近傍に設けられている嵌合凹部１３ｃに対応する位置でフックベース２４方向に押し込まれる。フックボルト２２が押し込まれると、フックボルト２２の先端に設けられているヘッド部２２Ａは、嵌合凹部１３ｃに嵌まり込む。これにより、フックボルト２２は、アーム部材１２に係止され、誘導溝１３ｂ方向へのスライドができなくなる。つまり、ドア１００は、嵌合凹部１３ｃの位置でほぼ完全に固定され、開放又は閉扉ができなくなる。
【００２２】
また、アーム部材１２は、係合片１４の根元近傍にスライド溝１２ｄが形成されている。このスライド溝１２ｄは、係合片１４の先端から根元側までの所定の範囲（本実施形態では、約２ｃｍ）に設けられた長穴形状の溝であり、後で説明するアームベース１６の外側から挿入される軸ピン１７がこのスライド溝１２ｄと摺動可能に係合することにより、アーム部材１２は、アームベース１６に対して、スライド溝１２ｄに沿ってフック装置２０方向にスライドできるようになっている。
【００２３】
アームベース１６は、鉄等の金属製又はアルミニウム合金等の非鉄金属製でできており、対向する一対の側壁１６ａ、１６ａを有する概略コの字形状の部材である。このアームベース１６は、複数のボルト３００（本実施形態では、３つ）によりドア１００に固定されている。また、アームベース１６の一対の側壁１６ａ、１６ａには、アーム部材１２のスライド溝１２ｄと略対向する位置に穴部１６ｂが設けられ、その穴部１６ｂに軸ピン１７が挿設される。この軸ピン１７は、穴部１６ｂ及びスライド溝１２ｄに挿通され、対向する一対のスライド溝１２ｄ、１２ｄの対向面側でＣリング１８等により係止されている。したがって、アーム部材１２は、アームベース１６に対して、スライド溝１２ｄに沿ってフック装置２０方向にスライドすることができるようになっている。なお、この軸ピン１７とスライド溝１２ｄの相対移動によるアーム部材１２のスライドをスライド機構３０と言う。
【００２４】
次に、フック装置２０は、同図に示されるように、フックボルト２２と、フックベース２４とから構成されている。フックボルト２２は、図２に示されるように、本体部２２ａと、本体２２ａの先端側にヘッド部２２ｂが形成された断面Ｔ字形状の部材である。また、フックボルト２２はフックベース２４の収容部２４ｆにスライド可能に収容されており、収容部２４ｆに内装されている圧縮ばね２６（付勢部材と言うことがある）の付勢力により、収容部２４ｆから開口部２４ｈ方向外側に押し出すように（アーム部材１０方向に）付勢されている。なお、本実施形態では、付勢部材として圧縮ばね２６を用いているが、フックボルト２２を収容部２４ｆから開口部２４ｈ外側に突出する方向に付勢できるものであれば、これに限定されるものではなく、例えば、板ばね等でも良いことは言うまでもない。
【００２５】
図２（ａ）〜（ｄ）を用いて、フック装置２０の構造について説明する。同図（ａ）〜（ｄ）は、図１の矢視Ｉ−Ｉ方向から見たフック装置２０の断面図である。
【００２６】
初めに、同図（ａ）は、フックボルト２２が収容部２４ｆに収容されている状態（収容位置Ｓ０と言う）であり、本実施形態では、収容位置Ｓ０において、フックボルト２２のヘッド部２２ｂは、収容部２４ｆに略完全に収容された状態になっている。
【００２７】
フックボルト２２の本体２２ａは、四角柱状の六面体部材であり、収容部２４ｆに収容される１つの側面（本実施形態では、ドアフレーム２００側の側面）に付勢抑制凹部２３が３か所に形成されている。３か所の付勢抑制凹部２３は、本体２２ａの１つの側面に略同間隔で１列に形成され、ヘッド部２２ｂ近傍から、第１付勢抑制凹部２３ａ、第２付勢抑制凹部２３ｂ、第３付勢収容凹部２３ｃが形成されている。また、各付勢抑制凹部２３ａ〜２３ｃは、それぞれ鋸歯形状に形成され、ヘッド部２２ｂ側の壁面がいわゆるテーパ形状になっている。本体２２ａの底面２４ｇ側には、ばね収容部２２ｃが形成され、圧縮ばね２６の一部を収容するとともに、その圧縮ばねの一端を固定できるようになっている。
【００２８】
また、圧縮ばね２６の他端側は、収容部２４ｆの底面２４ｇに固定されている。圧縮ばね２６は、圧縮された状態で収容部２２ｃ及び２４ｆに収容されており、フックボルト２２を収容部２４ｆの開口部２４ｈ方向外側に付勢するように配設されている。
【００２９】
なお、フックボルト２２は、フックベース２４の収容部２４ｆ内でスライド可能に支持（図示省略）されている。したがって、フックボルト２２は、圧縮ばね２６の付勢力によって開口部２４ｈ方向にスライドし、また、圧縮ばね２６の付勢力に逆らって、その付勢力に打ち勝つ力をヘッド２２ｂを収容部２４ｆに押し込む方向（ヘッド２２ｂ方向から底面２４ｇ方向）に加えることにより、フックボルト２２は、同図（ｄ）に示される矢印Ｎ方向にスライドできるようになっている。
【００３０】
フックベース２４の上面（操作者側）には、ロック解除ボタン２９（付勢抑制解除手段と言うことがある）を収容する収容部２４ｄが形成されている。
【００３１】
ロック解除ボタン２９は、金属製又は樹脂製の部材で、略中央部に開口孔２９ａを有する六面体部材である。ロック解除ボタン２９の開口孔２９ａには、フックボルト２２が挿通される。フックボルト２２は、ロック解除ボタン２９の開口孔２９ａに挿通された状態で、前述したように収容部２４ｆの開口部２４ｈ方向又は底面２４ｇ方向にスライドできるように構成されている。
【００３２】
また、開口孔２９ａの内壁の下面には、付勢抑制凸部２９ｂが形成されている。付勢抑制凸部２９ｂは、各付勢抑制凹部２３ａ〜２３ｃに嵌り合う鋸歯形状に形成され、フックボルト２２の各付勢抑制凹部２３ａ〜２３ｃと確実に嵌合できるようになっている。
【００３３】
また、ロック解除ボタン２９は、板ばね等の付勢部材２９ｃにより矢印Ｅ方向（同図でロック解除ボタン２９を持ち上げる方向）に付勢されている。これにより、開口孔２９ａの内壁に設けられた付勢抑制凸部２９ｂは、フックボルト２２の各付勢抑制凹部２３ａ〜２３ｃの奥方向まで押し付けられ、付勢抑制凸部２９ｂが各付勢抑制凹部２３ａ〜２３ｃとしっかり嵌り合うようになっている。なお、付勢抑制凸部２９ｂが各付勢抑制凹部２３ａ〜２３ｃと係合することによって、圧縮ばね２６の付勢力に対抗して、フックボルト２２を各付勢抑制凹部２３ａ〜２３ｃの位置で固定する構造を付勢抑制手段と言う。
【００３４】
一方、同図（ｂ）に示されるように、ロック解除ボタン２９を矢印Ｆ方向に押下した場合、ロック解除ボタン２９は、付勢部材２９ｃの付勢力に逆らって、矢印Ｆ方向に押下される。つまり、ロック解除ボタン２９の開口孔２９ａの内壁下面に設けられている付勢抑制凸部２９ｂは、第１付勢抑制凹部２３ａから離れるように移動して、付勢抑制凸部２９ｂと第１付勢抑制凹部２３ａの係合状態が解消され、フックボルト２２は、圧縮ばね２６の付勢力により長手方向（矢印Ｍ方向）へスライドする。
【００３５】
また、ロック解除ボタン２９を押下している指を離すと（ロック解除ボタン２９の押下を止めた場合）、ロック解除ボタン２９は、付勢部材２９ｃにより、同図（ｃ）に示す矢印Ｅ方向（押下方向と反対方向）に付勢される。そして、ロック解除ボタン２９の付勢抑制凸部２９ｂは、第１付勢抑制凹部２３ａの後方の位置に形成されている第２付勢抑制凹部２３ｂと係合し、フックボルト２２のスライドが再び規制される（ロック状態）。
【００３６】
同様に、フックボルト２２を開口部２４ｈから更に突出させたい場合には、ロック解除ボタン２９を押下することによって、上述と同様の原理により、フックボルト２２は、第２付勢抑制凹部２３ｂと第３付勢抑制凹部２３ｃの１ピッチ分だけ開口部２４ｈから突出するようにスライドし、第２付勢抑制凹部２３ｂの後方の位置に形成されてる第３付勢抑制凹部２３ｃと係合して停止する。（同図（ｄ）参照）。
【００３７】
反対に、同図（ｄ）に示されるように、フックボルト２２のヘッド部２２ｂが飛び出している状態において、ヘッド部２２ｂの外側から、ヘッド部２２ｂを収容部２４ｆ方向（同図（ｄ）に示される矢印Ｎ方向）に、圧縮ばね２６の付勢力に打ち勝つ力で押し込むと、フックボルト２２は、収容部２４ｆに収容される方向にスライドする。具体的には、フックボルト２２を圧縮ばね２６の付勢力よりも大きな力で収容部２４ｆ方向に押し込むと、ロック解除ボタン２９の付勢抑制凸部２９ｂは、フックボルト２２の第３付勢抑制凹部２３ｃの鋸歯形状に形成された凹部の斜面を乗り越え、第３付勢抑制凹部２３ｃよりもヘッド部２２ｂに近い位置に形成された第２付勢抑制凹部２３ｂと係合する位置までスライドする。そして、付勢抑制凸部２９ｂと第２付勢抑制凹部２３ｂが係合すると、フックボルト２２は固定される。フックボルト２２を更に押し込みたい場合には、同図（ｃ）の状態から、フックボルト２２を収容部２４ｆ方向に更に押し込むことによって、フックボルト２２は、同図（ａ）の位置までスライドする。この時、付勢抑制凸部２９ｂは、第２付勢抑制凹部２３ｂとの係合状態から脱出し、第２付勢抑制凹部２３ｂよりもヘッド部２２ｂに近い位置に形成されている第１付勢抑制凹部２３ａと係合して固定される。なお、本実施形態では、同図（ａ）に示される位置よりも、フックボルト２２を押し込むことはできなくなっている。
【００３８】
なお、詳細は後述するが、本実施形態では、同図（ｃ）に示される状態は、フックボルト２２によってアーム部材１２が挟まれて固定される固定位置Ｓ１であり、同図（ｄ）に示される状態は、アーム部材１２がフックボルト２２に係合した状態で案内部１３に沿ってスライド可能となるスライド可能位置Ｓ２である。
【００３９】
換言すると、ロック解除ボタン２９を押下する毎に、フックボルト２２を各付勢抑制凹部２３ａ、２３ｂ、２３ｃの間隔である１ピッチ分だけ、アーム部材１２方向（矢印Ｍ方向）に飛び出させるようにスライドすることができる。また、フックボルト２２をフックベース２４の収容部２４ｆ方向（矢印Ｎ方向）に押し込むことによって、フックボルト２２は、段階的（本実施形態では、３段階）に収容部２４ｆに収納される。つまり、フックベース２４に対して、フックボルト２２は、付勢抑制凹部２３ａ〜２３ｃの数だけ段階的に伸縮することができるようになっている。勿論、フックボルト２２の収容段階数は、本実施形態で示される、収容位置Ｓ０、固定位置Ｓ１及びスライド可能位置Ｓ２の３段階に限定されるものではない。
【００４０】
また、収容位置Ｓ０においては、フックボルト２２は、開口部２４ｈから突出した状態でも良いことは言うまでもない。つまり、少なくとも、収容位置Ｓ０の状態を無くし、固定位置Ｓ１とスライド可能位置Ｓ２の２段階あれば、ロック解除ボタン２９の押下若しくはヘッド部２２ｂの押下という１工程で、アーム部材１２を固定し、又は固定の解除を行うことができる。
【００４１】
図１に戻って、フック装置２０のフックベース２４は、鉄等の金属製又はアルミニウム合金等の非鉄金属製でできており、概略Ｌ字型形状の部材である。このフックベース２４は、底面２４ａから垂直方向にＪ型アーム２４ｂが伸び、Ｊ型アーム２４ｂのＪ字状に曲がっている先端側には、前述したフックボルト２２を収容する収容部２４ｆ及びロック解除ボタン２９を収容する収容部２４ｄが形成されている。
【００４２】
また、底面２４ａに立設されたＪ型アーム２４ｂの根元近傍には固定穴２４ｃが形成され、ボルト２５等でドアフレーム２００に固定されている。Ｊ型アーム２４ｂのＪ字状に曲がっている先端側には係合板２４ｅが設けられている。前述した、アーム部材１２がフック装置２０方向にスライドした場合に、アーム部材１２の係合片１４は、この係合板２４ｅの少なくとも一部と係合するようになっている。なお、アーム部材１２の係合片１４は、係合板２４ｅと係合する場合に限られず、ドアフレーム２００に直接係合するようにしても好ましい。
＜ドアガード機能＞
【００４３】
次に図３、４を用いて、同ドアガード１によるドアガード機能について説明する。図３（ａ）、（ｂ）は、第１実施形態に係るドアガード１の動作を説明する為の概略斜視図であり、図４は、同ドアガード１を模式的に示した平面図である。このドアガード機能は、ドア１００が所定の開放状態以上に開放するのを規制する、ドアガード１の機能の１つである。
【００４４】
初めに、フックボルト２２が収容位置Ｓ０にある状態（図２（ａ）参照）において、ロック解除ボタン２９をＦ方向に押下してフックボルト２２をスライド可能位置Ｓ２までスライドさせる（図３（ａ）参照）。この時、前述したように、フックボルト２２は、ロック解除ボタン２９の付勢抑制凸部２９ｂがフックボルト２２の第１付勢抑制凹部２３ａに係合する位置から第３付勢抑制凹部２３ｃに係合する位置までスライドする。
【００４５】
次に、図３（ｂ）に示されるように、アーム装置１０のアーム部材１２を矢印Ａ方向に回動させて、アーム部材１２をドア１００に対して約９０°立てた状態にする。この時、フックボルト２２のヘッド部２２ｂは、アーム部材１２の開口部１３ａに挿入された状態となっている。
【００４６】
次に、図４（ａ）に示されるように、フックボルト２２のヘッド部２２ｂがアーム部材１２の開口溝１３ａに挿入された状態のまま、ドア１００を開放すると、ヘッド部２２ａは、開口部１３ａから誘導溝１３ｂに係合しながらスライドする。
【００４７】
フックボルト２２のヘッド部２２ｂを誘導溝１３ｂと係合させつつ誘導溝１３ｂの先端近傍まで移動させる。ヘッド２２ｂが誘導溝１３ｂの先端側に形成された嵌合凹部１３ｃの位置まで移動したところで、ヘッド部２２ｂを収容部２４ｆ方向（矢印Ｎ方向）に押下する（同図（ｂ）参照）。
【００４８】
ヘッド部２２ｂが押下されると、フックボルト２２は、前述した第３付勢抑制凹部２３ｃと第２付勢抑制凹部２３ｂの１ピッチ分押し込まれるとともに、ヘッド部２２ｂが嵌合凹部１３ｃに嵌り込む（図４（ｃ）参照）。
【００４９】
この時、アーム部材１２は、フックボルト２２のヘッド部２２ｂと、フックベース２４の係合板２４ｅとの間で挟まれて固定されるようになっている（ロック状態）。したがって、アーム部材１２は、自身に形成された嵌合凹部１３ｃに落し込まれて嵌合するヘッド部２２ｂにより、フックボルト２２に固定されるとともに、フックボルト２２のヘッド部２２ｂとフックベース２４の係合板２４ｅに挟まれた状態で固定されるので、外部からの振動などでヘッド部２２ｂと嵌合凹部１３ｃの嵌合状態が外れ難く、より確実にドア１００の開放を防止することができる。
【００５０】
また、ロック状態を解除し、ドア１００を閉じる場合には、同図（ｃ）に示されるように、ロック解除ボタン２９を押下する（矢印Ｆ方向に押す）ことにより、フックベース２２は、圧縮ばね２６によって、第２付勢抑制凹部２３ｂから付勢抑制凹部２３ｃの１ピッチ分飛び出す（矢印Ｎ方向にスライドする）。これにより、ヘッド部２２ｂは、嵌合凹部１３ｃから脱出し、フックボルト２２が案内溝１３ｂに沿って移動できるようになり、そのままドア１００を閉めることができる。
【００５１】
したがって、ドアガード１は、案内部１３を有するアーム部材１２と、案内部１３に係合された状態で案内部１３の長手方向にスライド可能なフックボルト２２と、フックボルト２２を支持するフックベース２４を備えている。また、アーム部材１２は、案内部１３の係止位置（例えば、嵌合凹部１３ｃ）において、フックボルト２２とフックベース２４の間に挟まれて固定される構造とした。つまり、本発明は、アーム部材１２をフックボルト２２とフックベース２４の間に挟むことにより、アーム部材１２をフックボルト２２とフックベース２４により押圧される摩擦力により、より強い力で固定（ロック）することができる。
【００５２】
また、係止位置として、案内部１３のヘッド部２２ｂと係合する位置に、誘導溝１３ｂよりも一段低い段差として形成される嵌合凹部１３ｃが設けられ、ヘッド部２２ｂは、この嵌合凹部１３ｃに落し込まれるように係合する。したがって、アーム部材１２は、ヘッド部２２ｂの周囲を包囲されるように嵌合凹部１３ｃと係合し、振動などでアーム部材１２が揺れてもヘッド部２２ｂとアーム部材１２の係合状態が外れ難くなり、より確実にアーム部材１２を固定することができる。
【００５３】
また、ドアガード１は、フックボルト２２をアーム部材１２方向（収容部２４ｆの開口部２４ｈ方向）に付勢するための付勢力を発生させる圧縮ばね２６と、フックボルト２２がアーム部材２４方向に付勢されるのを阻止する付勢抑制手段（ロック解除ボタン２９の付勢抑制凸部２９ａとフックボルト２２の各付勢抑制凹部２３ａ〜２３ｃの係合機構により構成される、フックボルト２２のスライド防止機構）と、付勢抑制手段による付勢の抑制を解除するロック解除ボタン２９（抑制解除手段と言うこともある）と、を備えている。また、ロック解除ボタン２９は、フックボルト２２のスライド方向（図３に示される矢印Ｍ方向又は矢印Ｎ方向）と垂直方向で、且つ、ドア１００の内側（室内側）方向に配設されている。つまり、ロック解除ボタン２９は、ドアガード１を使用する使用者の正面に設けられているので、ドアガード１の使用者は、ロック解除ボタン２９の操作が非常に容易に行うことができる。
【００５４】
また、アーム部材１２の案内部１３のヘッド部２２ｂとの係止位置に滑り止め部材を設けるようにしても好ましい。ヘッド部２２ｂと案内部１３の間に滑り止め部材を設けることにより、アーム部材１２に特別な係止部（例えば、嵌合凹部）を設けなくても、容易にヘッド部２２ｂを係止することができ、フックボルト２２を確実に固定することができる。勿論、本実施形態で説明した嵌合凹部１３ｃとヘッド部２２ｂとの当接面に滑り止め部材を設けるようにしてもより好ましい。なお、滑り止め部材としては、案内部１３とヘッド部２２ｂとの当接面に摩擦抵抗の大きいゴムを張り付けたり、アーム部材１２の案内部１３とヘッド部２２ｂとの当接面にシボ加工などを施すことにより実現できる。
【００５５】
また、付勢抑制手段は、第１付勢抑制凹部２３ａ、第２付勢抑制凹部２３ｂ、第３付勢抑制凹部２３ｃを備え、ロック解除ボタン２９の押下操作に基づく付勢抑制凸部２９ｂが第２付勢抑制凹部２３ｂと係合したときには、フックボルト２２のヘッド部２２ｂがアーム部材１２と係合してアーム部材１２を固定する固定位置となり、第３付勢抑制凹部２３ｃと係合したときには、フックボルト２２が案内部１３に沿ってスライドが可能になり、アーム部材１２の移動を可能にするスライド可能位置の、少なくとも２段階で、フックボルト２２を固定することができるようになっている。したがて、１回のロック解除ボタン２９の押下操作により、容易にアーム部材１２の固定状態を解除することができ、また、ヘッド部２２ｂを押し込むことによる１回の操作でアーム部材１２を固定することができる。
【００５６】
また、フックボルト２２がアーム部材１２の案内部１３に沿ってスライドできるものであれば、本実施形態のように回動可能なアーム部材１２でなくても良い。例えば、ドア１００からドア１００の内側方向に垂直に立設した形状のアーム部材としても好ましい。この場合、フックボルト２２のヘッド部２２ｂは、ドア１００の開放とともにアーム部材の案内部に沿ってスライドするので、アーム部材１２は固定されていても構わない。
【００５７】
＜サブロック機能＞
【００５８】
次に、本発明に係るドアガード１の１つの機能であるサブロック機能について説明する。サブロック機能は、ドアガード１によりドア１００の開放を完全に防止する機能である。本発明のドアガード１は、アーム部材１２をスライドさせるという操作者による１工程の操作で容易にサブロックを行うことができる。
【００５９】
アーム装置１０及びフック装置２０が図５（ａ）の位置にある状態から、アーム部材１２を矢印Ｃ方向にスライドさせる。アーム部材１２は、矢印Ｃ方向に力を加えられると、アーム部材１２のスライド溝１２ｄが軸ピン１７に対してスライドし、フック装置２０方向（矢印Ｃ方向）にスライドできるようになっている。
【００６０】
アーム部材１２を更にスライドさせると、アーム部材１２の係合片１４（第１係合片１４Ａ、第２係合片１４Ｂ）がフックベース２４の係合板２４ｅの位置に達する。そして、アーム部材１２の係合片１４は、フックベース２４の係合板２４ｅに係合しながらスライドし、所定の位置で係合片１４に形成されている段形状の当接部１４ａと係合板２４ｅの端部が当接し、それ以上アーム部材１２がフック装置２０方向にスライドできないようになっている。この係合片１４の当接部１４ａと係合板２４ｅの端部が当接し、ドア１００が開放できない状態をサブロック状態という。
【００６１】
サブロック状態では、係合片１４と係合板２４ｅは、略密着した状態で係合しているので、ドア１００を開扉しようとすると、係合片１４は係合板２４ｅに移動を阻止され、ドア１００を開放することができない。したがって、サブロック状態では、ドア１００は殆ど開放できない状態になっている。
【００６２】
したがって、ドアノブ（図示省略）に設けられているドア鍵（図示省略）によりドアを施錠しなくても、アーム部材１２をフック装置２０方向にスライドするという僅か１工程の操作で、容易にドア１００の開扉を阻止することができる。また、反対にアーム部材１２をフック装置２０と反対方向にスライドさせるだけでサブロック状態を容易に解除することができる。
【００６３】
なお、係合片１４の当接部１４ａと係合板２４ｅの間に所定の隙間を設け、その隙間の分だけ、ドア１００が開放するようにしても好ましい。このようにすることによって、部屋内の住人は僅かに開扉したドア１００の隙間から外の様子を見ることができ、また、開扉状態でドア１００を固定することによって部屋内の空気の入れ替え等も可能となる。
【００６４】
また、アーム部材１２は、フック装置２０方向に突出する一対の係合片１４、１４を有している。したがって、アーム部材１２がスライドし、一対の係合片１４、１４がフック装置２０の係合板２４ｅに係合することにより、大きな力によりドア１００が開放される場合でも、ドア１００の開放を確実に阻止することができる。
【００６５】
また、一対の係合片１４、１４は、少なくとも第１係合片１４Ａと、第２係合片１４Ｂの２つの係合片を備えている。また、第１係合片１４Ａと第２係合片１４Ｂの間隔が第１係合片１４Ａ又は第２係合片１４Ｂを構成している板厚よりも広くなるように構成されている。したがって、１つの係合片でドア１００を押さえるよりも、一定間隔離れた２つの係合片により、ドア１００を押さえることができ、ドア１００の開放を確実に阻止することができる。
【００６６】
また、アーム部材１２は、略Ｕ字形状に形成され、第１係合片１４Ａ及び第２係合片１４Ｂは、Ｕ字開口端部に形成されているので、一定間隔離れた２つの係合片により、ドア１００を押さえることができ、ドア１００の開放を確実に阻止することができる。
【００６７】
なお、本実施形態では、ドア１００にアーム装置１０を設け、ドアフレーム２００にフック装置２０を設ける構成としたが、逆でも良いことは言うまでもない。つまり、ドアフレーム２００にアーム装置１０を設け、ドア１００にフック装置２０を設ける構造としても良い。このことは、次に説明する第２実施形態でも同様である。
【００６８】
次に、図６〜８を用いて、第２実施形態に係るドアガード２について説明する。ドアガード２は、フックボルト２２の代わりに、フックベースに対して回動及びスライド可能に設けられるキャッチを備え、キャッチのスライド位置によって、アーム部材１２を固定したり、スライド可能にしたりできるところに特徴がある。なお、アーム装置１０については、第１実施形態で説明したアーム装置１０と変わらないので、同一の番号を付し、詳細な説明は省略する。また、第２実施形態でも、サブロック機能を有していることは言うまでもないが、第１実施形態で説明したサブロック機能と同様であるので、説明は省略する。
【００６９】
初めに、図６は第２実施形態に係るドアガード２の概略斜視図である。ドアガード２は、フック装置５０は、キャッチ５２と、フックベース５４を有して構成されている。
【００７０】
フックベース５４は、第１実施形態で説明したフックベース２４と同様に、底面５４ａ、一対のＪ型アーム５４ｂ、５４ｂ、係合板５４ｅが形成されている。また、底面５４ａに形成される固定穴５４ｃから挿通されるボルトにより、ドアフレーム２００に固定されている。またＪ型アーム５４ｂの側面には、案内ピン５４Ａが設けられている。この案内ピン５４Ａは、キャッチ５２の案内部５６と係合しながら、案内部５６に沿ってスライドできるようになっている。
【００７１】
キャッチ５２は、先端近傍にヘッド部５２ａが形成されるとともに、両側面に案内部５６が形成されている。
【００７２】
案内部５６は、キャッチ５２の長手方向に誘導溝５６ｃが形成され、誘導溝５６ｃのキャッチ５２の先端近傍に固定溝５６ａと、固定溝５６ａよりもヘッド部５２ａから離れている位置にスライド可能溝５６ｂが形成されている（スライド可能溝５６ｂ、誘導溝５６ｃについては図７参照）。詳細は後述するが、キャッチ５２のヘッド部５２ａがアーム部材１２の案内部１３に係合している時に、案内ピン５４Ａがスライド可能溝５６ｂと係合している場合は、キャッチ５２は案内部１３に沿ってスライド可能となる。また、キャッチ５２のヘッド部５２ａがアーム部材１２の係合凹部１３ｃの位置にある時に、ヘッド部５２ａを押し込むと案内ピン５４Ａは、固定溝５２ａと係合する。この時、ヘッド部５２ａは、嵌合凹部１３ｃと嵌合し、キャッチ５２のスライドが固定されるようになっている。したがって、キャッチ５２は、案内ピン５４Ａを中心に、反時計まわり（同図の矢印Ｊ方向）に回動できるようになっているとともに、アーム部材１２方向にスライドできるように構成されている。
【００７３】
次に、図７、８を用いて、ドアガード２のドアガード機能について説明する。
【００７４】
まず、図７（ａ）に示されるように、アーム装置１０及びフック装置５０は、初期位置にある。ここで言う初期位置とは、アーム装置１０のアーム部材１２がドア１００と略平行になっている状態（ドア１００側に倒れている状態）であり、フック装置２０のキャッチ５２は、ヘッド部５２ａがアーム装置１０と略１８０°反対向きの位置にある状態を言う。
【００７５】
次に、同図（ｂ）に示されるように、キャッチ５２を反時計回り（矢印Ｊ方向）に回動させて、ヘッド部５２ａをアーム装置１０方向に向けるとともに、キャッチ５２をアーム部材１２方向（矢印Ｍ方向）にスライドさせて、案内ピン５４Ａをスライド可能溝５６ｂに係合させる。また、アーム部材１２もフック装置２０方向（矢印Ａ方向）に回動させる。この時、キャッチ５２のヘッド部５２ａは、案内部１３の開口部１３ａに挿入された状態となっている。
【００７６】
次に、図８（ａ）に示されるように、ドア１００を開放して、ヘッド部５２ａと誘導溝１３ｂが係合した状態で誘導溝１３ｂに沿ってヘッド部５２ａをアーム部材１２の先端方向にスライドさせる。そして、ヘッド部５２ａが嵌合凹部１３ｃの位置に来た時に、ヘッド部５２ａをフックベース５４方向（矢印Ｎ方向）に押し込む。
【００７７】
すると、キャッチ５２のヘッド５２ａが案内部１３の嵌合凹部１３ｃに嵌り込んで、アーム部材１２は、キャッチ５２に係止されて固定される。第１実施形態と同様に、この状態では、ヘッド部５２ａは嵌合凹部１３ｃに包囲されるように係合し、振動などで外れ難くなっている。
【００７８】
また、ドア１００を閉じたい場合には、キャッチ５２を矢印Ｍ方向に移動させることによって、ヘッド部５２ａは、嵌合凹部１３ｃから脱出し、キャッチ５２は、誘導溝１３ｂに沿ってスライドできるようになる。
【００７９】
したがって、フックベース５４に設けられ、アーム部材１２方向に回動及びスライドするキャッチ５２を更に備え、キャッチ５２は、少なくとも、フックベース５４と係合された状態でアーム部材１２方向にスライド可能にされるスライド部（例えば、案内部５６のスライド可能溝５６ｂ）と、アーム部材１２方向へのスライドを制限される固定部（例えば、誘導部５６の固定溝５６ａ）と、を備えている。したがって、キャッチ５２をスライドさせるという１工程の操作のみで、ドア１００を固定し、又は固定の解除を行うことができる。
【００８０】
また、本発明は、アーム部材１３を、フック装置２０方向にスライドさせることで、ドア１００の開放を略完全に阻止することができる。したがって、同一のアーム装置１０及びフック装置２０、５０を用いて、ドアガード機能及びサブロック機能の２つの機能を持たせることができる。
【産業上の利用可能性】
【００８１】
本発明は、ドアの開扉を規制するドアガードの分野において利用することができる。
【符号の説明】
【００８２】
１        ドアガード
１０      アーム装置
１２      アーム部材
１３      案内部
１３ａ    開口部
１３ｂ    誘導溝
１３ｃ    嵌合凹部
１４      係合片
１６      アームベース
２０      フック装置
２２      フックボルト
２２ａ    ヘッド部
２４      フックベース
２９      ロック解除ボタン
１００    ドア
２００    ドアフレーム
Ｓ０      収納位置
Ｓ１      固定位置
Ｓ２      スライド可動位置
【図１】
2010196348.tif 000003
【図２】
2010196348.tif 000004
【図３】
2010196348.tif 000005
【図４】
2010196348.tif 000006
【図５】
2010196348.tif 000007
【図６】
2010196348.tif 000008
【図７】
2010196348.tif 000009
【図８】
2010196348.tif 000010